(57)【要約】【課題】パーシャル駆動時において、画像を表示する領域のコモン電極配線を走査しているときの消費電力を低下させる。【解決手段】セグメント電極ドライバ部は、各セグメント電極配線に対応する定電流回路を有し、発光すべき画素が存在するセグメント電極配線から、選択されているコモン電極配線に定電流を流す。ただし、パーシャル駆動時における定電流の電流値は、通常駆動時における定電流値より低いため、ＯＬＥＤ駆動電圧（定電流が流されているときの有機ＥＬ素子の陽極の電圧）も低下する。セグメント電極ドライバ部に対して定電流回路を動作させるための電圧Ｖｃｃを供給する電源回路は、パーシャル駆動時に出力電圧Ｖｃｃを低下させ、出力電圧ＶｃｃとＯＬＥＤ駆動電圧との差が広がらないようにする。【選択図】図５
2007094319.tif 000002
【特許請求の範囲】
【請求項１】
交差するように配置された複数のコモン電極と複数のセグメント電極とを備え、前記複数のコモン電極と前記複数のセグメント電極との間に有機薄膜が配置された有機ＥＬ表示装置の駆動装置であって、
セグメント電極に対して定電流を流す定電流回路を各セグメント電極毎に有するセグメント電極ドライバと、
コモン電極を順次選択してコモン電極の走査を行うコモン電極ドライバと、
コモン電極ドライバが各コモン電極を走査する通常駆動時に、セグメント電極ドライバに対して、定電流回路が通常駆動時に出力すべき通常時定電流を出力可能な電圧を供給し、コモン電極ドライバが各コモン電極のうちの一部のコモン電極のみを走査するパーシャル駆動時に、セグメント電極ドライバに対して前記電圧よりも低い電圧を供給する電源回路とを備えた
ことを特徴とする有機ＥＬ表示装置の駆動装置。
【請求項２】
電源回路は、パーシャル駆動時に、セグメント電極ドライバに対して、定電流回路がパーシャル駆動時に出力すべきパーシャル時定電流を出力可能な電圧を供給する
請求項１に記載の有機ＥＬ表示装置の駆動装置。
【請求項３】
パーシャル駆動時に、定電流回路が流す定電流を、通常時定電流から、前記通常時定電流よりも電流値が小さいパーシャル時定電流に低下させる制御手段を備え、
セグメント電極ドライバの定電流回路は、パーシャル駆動時に、セグメント電極に流す定電流を前記制御手段に従って、通常時定電流からパーシャル時定電流に低下させる
請求項２に記載の有機ＥＬ表示装置の駆動装置。
【請求項４】
セグメント電極ドライバは、パーシャル駆動時に、定電流回路を用いずに、電源回路から供給される電圧をセグメント電極に印加することにより、当該セグメント電極と、コモン電極ドライバによって選択されたコモン電極との間の有機薄膜に電流を流す
請求項１に記載の有機ＥＬ表示装置の駆動装置。
【請求項５】
パーシャル駆動時における走査対象となるコモン電極の数は、１６本以下である
請求項４に記載の有機ＥＬ表示装置の駆動装置。
【発明の詳細な説明】
【技術分野】
【０００１】
本発明は、有機エレクトロルミネッセンス発光素子（以下、有機ＥＬ素子という。）を用いた有機ＥＬ表示装置の駆動装置に関する。
【背景技術】
【０００２】
マトリクス電極の各画素部に有機ＥＬ素子をそれぞれ配置した構造の有機ＥＬ表示装置（有機ＥＬパネル）が実現されている。有機ＥＬパネルでは、例えば、ガラス基板等の基板上に、陽極に接続されるかまたは陽極そのものを形成するＩＴＯ等の透明導電膜を用いた複数の陽極配線が例えば縦方向に配置され、それに直交する方向に、陰極に接続するかまたは陰極そのものを形成する金属を用いた複数の陰極配線が例えば横方向に配置される。陽極配線と陰極配線の交点が画素となり、両配線間に有機薄膜（有機ＥＬ素子）が挟持される。このように、基板上に、有機ＥＬ素子によって構成された画素がマトリクス状に平面配置される。有機ＥＬ素子は、電流が流れると発光する電流駆動素子であるため、輝度は電流量に依存する。
【０００３】
有機ＥＬ素子は、半導体発光ダイオードに似た特性を有している。すなわち、陽極側を高電圧側とし、所定の電圧を両電極間に印加して有機ＥＬ素子に電流を供給すると発光する。具体的には、陽極側の電位と陰極側の電位との差が発光開始電圧以上になると、有機ＥＬ素子に電流が流れ始める。逆に、陰極側を高電位にした場合には電流がほとんど流れず発光しない。
【０００４】
有機ＥＬパネルを単純マトリクス駆動法で駆動することができる。駆動を行う際に、有機ＥＬパネルの陽極配線および陰極配線を、走査電極配線（コモン電極配線）またはデータ電極配線（セグメント電極配線）のいずれにも設定できる。つまり、陽極配線をコモン電極配線とし、陰極配線をセグメント電極配線とするか、または陽極配線をセグメント電極配線とし、陰極配線をコモン電極配線として使用できる。以下、陰極配線をコモン電極配線とし、陽極配線をセグメント電極配線とする場合を例にする。
【０００５】
各セグメント電極配線は、各セグメント電極配線に対応する定電流回路を備えたセグメント電極ドライバに接続される。また、各コモン電極配線は、コモン電極ドライバに接続される。セグメント電極ドライバおよびコモン電極ドライバは、コントローラの制御に従って、有機ＥＬパネルを駆動する。
【０００６】
有機ＥＬ表示装置において、パーシャル駆動を行う場合がある。「パーシャル駆動」とは、表示画面内の全ラインのうちの一部のみを用いて、一部の領域においてのみ表示を行う駆動態様である。通常の駆動では、全てのラインに個々に対応する各コモン電極配線を順次選択して画面全体に画像を表示する。一方、パーシャル駆動を行うときには、一部のラインに対応する各コモン電極配線のみを順次選択して一部の領域において表示を行う。
【０００７】
図１０（ａ）は、通常の駆動（以下、通常駆動と記す。）を行ったときの表示例を示し、図１０（ｂ）は、パーシャル駆動時の表示例を示している。図１０に示す例では、ライン数（コモン電極配線数）が６４の場合を示している。図１０（ｂ）に示すように、パーシャル駆動時には、画面の一部のみで表示を行う。また、あるコモン電極配線の選択期間の開始から、次にそのコモン電極配線の選択開始までの時間（１フレーム期間）に対する１本のコモン電極配線の選択期間の比率をデューティ（あるいはデューティ比）と呼ぶ。図１０（ａ）に例示する通常駆動の場合、全ライン（６４ライン）を用いて表示を行うのでデューティは１／６４となる。図１０（ｂ）に例示するパーシャル駆動の場合、全ラインのうち８ラインを用いて表示を行うのでデューティは１／８となる。
【０００８】
通常駆動からパーシャル駆動に駆動態様を切り替えた場合でも、１フレーム期間は変わらないため、個々のコモン電極配線の選択期間は長くなる。このとき、通常駆動時およびパーシャル駆動時における有機ＥＬ素子の輝度を揃えようとすると、パーシャル駆動時に有機ＥＬ素子に流す定電流の電流値は低下し、定電流が流されているときの有機ＥＬ素子の陽極の電圧は低下する。以下、定電流が流されているときの有機ＥＬ素子の陽極の電圧を、ＯＬＥＤ（Organic Light Emitting Diode）駆動電圧と記すことにする。
【０００９】
図１１は、通常駆動からパーシャル駆動に切り替えたときの、コモン電極配線の電位およびセグメント電極配線の電位を表す駆動波形の変化の例を示す説明図である。図１１に示すＦＬＭ（ファーストラインマーカ）は、１フレームの開始を示す制御信号である。また、ＬＰ（ラッチパルス）は、選択するコモン電極配線の切り替えを指示する制御信号である。ＣＯＭ０、ＣＯＭｎは、それぞれ０番目、ｎ番目のコモン電極配線の電位を示している。ただし、ｎ番目のコモン電極配線は、パーシャル駆動時の表示領域に配置されたコモン電極配線であるものとする。また、ＳＥＧｎは、複数のセグメント電極配線のうちの任意の一つの電位を示している。Ｖｃｃは、セグメント電極ドライバが備える定電流回路を動作させるために、電源回路がセグメント電極ドライバに供給する電圧である。また、Ｖｃｃは、選択されていないコモン電極配線に設定される電位でもある。ＶＳＳは、選択されたコモン電極配線に設定される電位であり、また、選択ライン（すなわち選択行）においてオフ（非点灯）とすべき画素が存在する列のセグメント電極配線に設定される電位である。
【００１０】
図１１では、選択されていないコモン電極配線に設定される電位と、セグメント電極ドライバが備える定電流回路を動作させるために、電源回路がセグメント電極ドライバに供給する電圧とがともにＶｃｃである場合を示した。選択されていないコモン電極配線に設定される電位と、セグメント電極ドライバが備える定電流回路を動作させるために、電源回路がセグメント電極ドライバに供給する電圧とが異なっていてもよい。
【００１１】
また、電源回路がセグメント電極ドライバに供給する電圧Ｖｃｃは、定電流回路を動作させるために、通常駆動時のＯＬＥＤ駆動電圧よりも所定値以上高くなるように定められている。
【００１２】
図１１に示すように、通常駆動からパーシャル駆動に切り替えたとする。すると、既に説明したように、ＯＬＥＤ駆動電圧は低下する。なお、ＯＬＥＤ駆動電圧の値は、オン（点灯）とすべき画素が存在する列のセグメント電極配線の電位と等しい値であり、図１１に示すように、パーシャル駆動時では、ＯＬＥＤ駆動電圧（オンとすべき画素が存在する列のセグメント電極配線の電位）は低下する。この結果、パーシャル駆動時では、ＯＬＥＤ駆動電圧と、電源回路がセグメント電極ドライバに供給する電圧Ｖｃｃとの差が必要以上に大きくなり、無駄に消費される電力が増加する。
【００１３】
図１２は、ＯＬＥＤ駆動電圧の低下を示した説明図である。通常駆動からパーシャル駆動に切り替えると、ＯＬＥＤ駆動電圧は低下する。一方、電源回路がセグメント電極ドライバに供給する電圧Ｖｃｃは変化しないので、電源回路による供給電圧ＶｃｃとＯＬＥＤ駆動電圧との差は大きくなる。
【００１４】
また、パーシャル駆動時における省電力化を目的とした発光表示パネルの駆動装置が提案されている（例えば、特許文献１参照。）。特許文献１に記載された駆動装置は、アクティブマトリクス型の発光表示パネルに適用される。そして、パーシャル駆動時に、非表示領域の走査を行うときには、データドライバの駆動を停止することで低消費電力を実現している。
【００１５】
また、液晶パネルの信号駆動回路（信号ドライバ）が、例えば特許文献２に記載されている。特許文献２に記載された信号駆動回路は、非表示レベル電圧供給回路を備える。そして、パーシャル表示データにより出力がオフに設定された非表示エリアに対応するブロックの信号ラインについては、非表示レベル電圧供給回路により生成した電圧で駆動する。
【００１６】
また、有機ＥＬ表示装置では、有機ＥＬ素子に定電圧を印加して電流を流すように駆動した場合、コモン電極ドライバから遠ざかった部分における輝度が低下して、表示画面内において輝度が変化する現象が知られている。この現象は、輝度傾斜と呼ばれる。図１３は、輝度傾斜の原因を示す説明図である。図１３において、縦軸は電圧であり、横軸は、コモン電極配線におけるコモン電極ドライバからの距離である。そして、図１３は、コモン電極配線上の各位置における電圧が、コモン電極ドライバの接続端からの距離が長くなるにつれて上昇することを示している。コモン電極配線自身は抵抗を有し、コモン電極ドライバの接続端からコモン電極配線上の各位置までの抵抗値は、その接続端からの距離が長くなるほど増加する。また、有機ＥＬ素子に流された電流は、コモン電極配線からコモン電極ドライバに流れる。そして、コモン電極配線上の各位置における電圧は、オームの法則により、その位置を流れる電流と、コモン電極ドライバの接続端からその位置までの抵抗の積によって求められる。従って、図１３に示すように、コモン電極配線上の各位置における電圧は、コモン電極ドライバの接続端からの距離が長くなるにつれて上昇する。すると、電源電圧と、コモン電極配線上の各位置における電圧との差は、コモン電極ドライバの接続端からの距離が長くなるにつれて減少する。この結果、コモン電極ドライバから離れた位置で、電源電圧とコモン電極配線の電圧との差が小さくなり、有機ＥＬ素子への印加電圧が減少する。そして、有機ＥＬ素子への印加電圧が異なることにより、流れる電流に差が生じ、輝度傾斜が生じる。
【００１７】
【特許文献１】特開２００３−３１６３１５号公報（段落００４２，００４３）
【特許文献２】特開２００２−３５１４１２号公報（段落００９６−００９８，図１０）
【発明の開示】
【発明が解決しようとする課題】
【００１８】
既に説明したように、通常駆動からパーシャル駆動に切り替えると、ＯＬＥＤ駆動電圧と、電源回路がセグメント電極ドライバに供給する電圧Ｖｃｃとの差が必要以上に大きくなり、無駄に消費される電力が増加する。特許文献１に記載された駆動装置は低消費電力化を実現している。しかし、特許文献１に記載された駆動装置は、パーシャル駆動で非表示領域の走査を行うときには、データドライバの駆動を停止することで低消費電力化を実現するものである。従って、パーシャル駆動時に画像を表示する領域のコモン電極配線を走査しているときには無駄に消費される電力が生じることになる。
【００１９】
そこで、本発明は、パーシャル駆動時において、画像を表示する領域のコモン電極配線を走査しているときの消費電力を低下させることができる有機ＥＬ表示装置の駆動装置を提供することを目的とする。
【課題を解決するための手段】
【００２０】
本発明による態様１は、交差するように配置された複数のコモン電極と複数のセグメント電極とを備え、複数のコモン電極と複数のセグメント電極との間に有機薄膜が配置された有機ＥＬ表示装置の駆動装置であって、セグメント電極に対して定電流を流す定電流回路を各セグメント電極毎に有するセグメント電極ドライバと、コモン電極を順次選択してコモン電極の走査を行うコモン電極ドライバと、コモン電極ドライバが各コモン電極を走査する通常駆動時に、セグメント電極ドライバに対して、定電流回路が通常駆動時に出力すべき通常時定電流を出力可能な電圧を供給し、コモン電極ドライバが各コモン電極のうちの一部のコモン電極のみを走査するパーシャル駆動時に、セグメント電極ドライバに対して前記電圧よりも低い電圧を供給する電源回路とを備えたことを特徴とする有機ＥＬ表示装置の駆動装置を提供する。
【００２１】
本発明による態様２は、態様１において、電源回路が、パーシャル駆動時に、セグメント電極ドライバに対して、定電流回路がパーシャル駆動時に出力すべきパーシャル時定電流を出力可能な電圧を供給する有機ＥＬ表示装置の駆動装置を提供する。
【００２２】
本発明による態様３は、態様２において、パーシャル駆動時に、定電流回路が流す定電流を、通常時定電流から、前記通常時定電流よりも電流値が小さいパーシャル時定電流に低下させる制御手段を備え、セグメント電極ドライバの定電流回路が、パーシャル駆動時に、セグメント電極に流す定電流を前記制御手段に従って、通常時定電流からパーシャル時定電流に低下させる有機ＥＬ表示装置の駆動装置を提供する。
【００２３】
本発明による態様４は、態様１において、セグメント電極ドライバが、パーシャル駆動時に、定電流回路を用いずに、電源回路から供給される電圧をセグメント電極に印加することにより、当該セグメント電極と、コモン電極ドライバによって選択されたコモン電極との間の有機薄膜に電流を流す有機ＥＬ表示装置の駆動装置を提供する。
【００２４】
本発明による態様５は、態様４において、パーシャル駆動時における走査対象となるコモン電極の数が１６本以下である有機ＥＬ表示装置の駆動装置を提供する。態様５によれば、パーシャル駆動時における輝度傾斜を目立たなくすることができる。
【発明の効果】
【００２５】
本発明によれば、コモン電極ドライバが各コモン電極のうちの一部のコモン電極のみを走査する場合において、その一部のコモン電極を走査しているときの消費電力を低下させることができる。
【発明を実施するための最良の形態】
【００２６】
以下、本発明の実施の形態を図面を参照して説明する。以下の説明においても、陰極配線をコモン電極配線とし、陽極配線をセグメント電極配線とする場合を例にする。
【００２７】
［実施の形態１］図１は、本発明の第１の実施の形態の有機ＥＬ表示装置の駆動装置の例を示すブロック図である。有機ＥＬ表示装置（有機ＥＬパネル）４は、複数のコモン電極配線（図示略。）と複数のセグメント電極配線（図示略。）とを備える。コモン電極配線（コモン電極）とセグメント電極配線（セグメント電極）とは、有機薄膜（有機ＥＬ素子）を挟んで直交するように配置される。コモン電極配線とセグメント電極配線との交差部分がそれぞれ画素となる。各画素において、セグメント電極配線側からコモン電極配線側に電流が流れることにより、その画素の有機薄膜が発光する。
【００２８】
有機ＥＬパネル４を駆動する駆動装置は、メモリ部を有するコントローラ（以下、単にコントローラと記す。）１と、コモン電極ドライバ部（コモン電極ドライバ）２と、セグメント電極ドライバ部（セグメント電極ドライバ）３と、電源回路（スイッチングレギュレータ）５とを備える。有機ＥＬパネル４を駆動する駆動装置に、外部ＭＰＵ６が含まれていてもよい。コントローラ１が有しているメモリ部（図示略。）は、表示される画像の画像データを記憶している。コントローラ（制御手段）１は、コモン電極ドライバ部２と、セグメント電極ドライバ部３と、電源回路５とを制御することにより、有機ＥＬパネル４に画像を表示させる。
【００２９】
また、コントローラ１には、外部ＭＰＵ（Micro Processing Unit）６が接続される。外部ＭＰＵ６は、コントローラ１に対して、コントローラ１内部のレジスタ設定を指示する信号や、メモリ部に記憶させる画像データを送信する。外部ＭＰＵ６がコントローラ１に送信する信号には、パーシャル駆動あるいは通常駆動への切り替えを指示する信号が含まれる。また、外部ＭＰＵ６は、コントローラ１に画像データを送信して、コントローラ１内部のメモリ部に記憶される画像データを書き換える。図１では、外部ＭＰＵ６からコントローラ１に送信する信号およびデータをまとめてＩ／Ｆ信号と表記して示している。
【００３０】
コモン電極ドライバ部２は、コントローラ１に従って、個々のコモン電極配線を一本ずつ選択し、選択行および非選択行のコモン電極配線の電位をそれぞれ設定する。そして、コモン電極ドライバ部２は、各コモン電極配線を順次選択しながらコモン電極配線を走査していく。各コモン電極配線の電位を設定するための電圧は、電源回路５から供給される。コモン電極ドライバ部２は、選択行のコモン電極配線を選択時電位（ＶＳＳとする。）に設定する。ここでは、ＶＳＳが接地電位（０Ｖ）である場合を例にして説明するが、ＶＳＳは接地電位でなくてもよい。また、コモン電極ドライバ部２は、あるコモン電極配線の選択中、他の各コモン電極配線の非選択時電位（ＶＣＨとする。）に設定する。
【００３１】
セグメント電極ドライバ部３は、コントローラ１および選択行の表示データに従って、選択期間中、発光させるべき画素が存在する列のセグメント電極配線から、選択行のコモン電極配線に定電流を流す。すなわち、セグメント電極ドライバ部３は、発光させるべき画素が存在する列のセグメント電極配線から、選択されているコモン電極配線上の有機薄膜に定電流を流す。
【００３２】
だたし、セグメント電極ドライバ部３は、コントローラ１に従って定電流値を切り替える。コントローラ１は、通常駆動からパーシャル駆動に切り替えると、有機ＥＬパネル４が有する一部のコモン電極配線のみ（例えば、０番目の行から７番目の行までの８本の配線のみ）を順次選択して走査する。このとき、コントローラ１は、１フレーム期間が変化しないように、パーシャル駆動時には通常駆動時よりも選択期間を長くする。さらに、コントローラ１は、選択期間を長くしたことにより、パーシャル駆動時における画素の輝度が高くならないようにするために、パーシャル駆動時における定電流値が通常駆動時よりも低くなるように、定電流値を切り替える。
【００３３】
図２は、第１の実施の形態におけるセグメント電極ドライバ部の構成例を示す説明図である。本実施の形態では、セグメント電極ドライバ部３は、セグメント電極配線毎に、定電流回路１２と、アナログスイッチ１１とを備える。ただし、図２では、一本のセグメント電極配線に対応する一組の定電流回路１２およびアナログスイッチ１１のみを示している。
【００３４】
コントローラ１は、スイッチ制御信号（以下、ＳＷ制御信号と記す。）を個々のアナログスイッチ１１に出力して、有機ＥＬ素子（有機薄膜）１３の陽極側を、定電流回路１２、あるいは電圧ＶＳＳを供給する配線のいずれかに接続させる。具体的には、コントローラ１は、発光させるべき画素が存在する列のセグメント電極配線に対応するアナログスイッチ１１に関しては、そのセグメント電極配線と、定電流回路１２（図４に示す端子Ａ）とを接続させるようにアナログスイッチ１１を設定する。すると、有機ＥＬ素子１３の陽極側から陰極側に定電流が流れ、有機ＥＬ素子１３は発光する。また、コントローラ１は、発光させるべき画素が存在しない列のセグメント電極配線に対応するアナログスイッチ１１に関しては、そのセグメント電極配線と、電圧ＶＳＳを供給する配線（図４に示す端子Ｂ）とを接続させるようにアナログスイッチ１１を設定する。このとき、有機ＥＬ素子の陽極側の電位はＶＳＳとなり、選択されたコモン電極配線の電位と等電位になるので、陽極側から陰極側に電流は流れず、有機ＥＬ素子１３は発光しない。
【００３５】
また、コントローラ１は、定電流回路１２がパーシャル駆動時に通常時よりも少ない定電流を流すように、定電流回路１２を制御する。定電流回路１２が通常駆動時に流すべき定電流を通常時定電流と記す。また、定電流回路１２がパーシャル駆動時に流すべき定電流をパーシャル時定電流と記す。パーシャル時定電流の電流値は、通常時定電流の場合よりも小さい。例えば、コントローラ１は、通常駆動を行うか、パーシャル駆動を行うかを示す情報を記憶するレジスタを備え、そのレジスタに記憶されている情報に応じて、定電流回路１２からパーシャル時定電流を流すのか、通常時定電流を流すのかを制御してもよい。あるいは、外部ＭＰＵ６からの指示に応じてパーシャル駆動に切り替えた後には、定電流回路１２からパーシャル時定電流を流すように定電流回路１２を制御し、外部ＭＰＵ６からの指示に応じて通常駆動に切り替えた後には、定電流回路１２から通常時定電流を流すように定電流回路１２を制御してもよい。
【００３６】
なお、パーシャル駆動時においても、定電流回路１２から有機ＥＬ素子１３に対して定電流（パーシャル時定電流）を流すことにより、有機ＥＬ素子１３を発光させる。よって、本実施の形態では、パーシャル駆動であるか通常駆動であるかによらず、有機ＥＬ素子１３に定電流駆動を行う。
【００３７】
電源回路５は、コモン電極ドライバ部２に対して、電圧ＶＳＳ，ＶＣＨを供給する。また、電源回路５は、セグメント電極ドライバ部３に対しても電圧ＶＳＳを供給する。さらに、電源回路５は、セグメント電極ドライバ部３に対して、セグメント電極ドライバ部３が備える定電流回路を動作させるための電圧（すなわち、定電流回路が定電流を出力可能な電圧）Ｖｃｃを供給する。本実施の形態では、電源回路５がコモン電極ドライバ部２に供給する電圧ＶＣＨと、電源回路５がセグメント電極ドライバ部３に供給する電圧Ｖｃｃとが同一であり、同一の電圧出力端から出力される場合を例にして説明する。
【００３８】
電源回路５は、パーシャル駆動時には、電圧Ｖｃｃの電圧値を、通常駆動時よりも低下させる。なお、電源回路５に対してパーシャル駆動か通常駆動かを指示する態様として、例えば、外部ＭＰＵ６が電源回路５に、パーシャル駆動か通常駆動かを指示する態様がある。あるいは、コントローラ１が外部ＭＰＵ６からパーシャル駆動か通常駆動かを指示する信号を受信したときに、コントローラ１が電源回路５にパーシャル駆動か通常駆動かを指示する態様であってもよい。図１では、コントローラ１が電源回路５にパーシャル駆動か通常駆動かを指示する場合を示している。
【００３９】
図３は、電源回路５における電圧Ｖｃｃ（＝ＶＣＨ）の出力に関わる構成部の例を示す説明図である。電源回路５には、他の電源（図示略。）からの入力電圧ＶＩＮが入力される。電源回路５は、入力電源安定化のためのコンデンサ２１を備える。コンデンサ２１の一方の電極は、入力電圧ＶＩＮの入力端に接続され、もう一方の電極は電圧ＶＳＳの入力端に接続される。コンデンサ２１は、入力電圧を十分に安定化可能な容量Ｃ１を有している。コンデンサ２１の後段には、インダクタ２２およびスイッチングレギュレータ制御回路（以下、単に制御回路と記す。）２３が設けられる。
【００４０】
図３に示す例では、制御回路２３は、ＶＩＮ，／ＳＨＤＮ，ＧＮＤ，ＳＷ，ＦＢの５個の端子を有する。ＶＩＮは、入力電圧ＶＩＮの入力端子である。／ＳＨＤＮは、シャットダウン制御信号が入力される端子である。シャットダウン機能不使用時には、入力電圧ＶＩＮの入力端は、端子ＶＩＮに接続される。制御回路２３がシャットダウン機能を有さない場合には、／ＳＨＤＮが設けられていなくてもよい。ＧＮＤは、ＶＳＳの入力端に接続される端子である。ＳＷは、内部ＦＥＴスイッチ（図示せず。）のドレインとして機能する端子である。ＦＢは、外付け抵抗分圧回路に接続され、帰還入力の入力端となる。インダクタ２２は、一端が端子ＶＩＮに接続され、他端が端子ＳＷに接続される。
【００４１】
また、端子ＳＷとインダクタ２２との接続点の後段には、ショットキーダイオード２４が設けられる。ショットキーダイオード２４のアノードは、端子ＳＷとインダクタ２２との接続点に接続される。ショットキーダイオード２４のカソードは、出力電圧（ここではＶｃｃ（＝ＶＣＨ））の出力端に接続される。
【００４２】
また、出力電圧の出力端とショットキーダイオード２４のカソードとの接続点と、端子ＦＢとの間には、第１抵抗２５およびフィードフォワードコンデンサ２８が並列に接続されている。第１抵抗２５は、電源回路５の外部からのＳＷ制御信号によって抵抗値を切り替え可能な抵抗回路である。フィードフォワードコンデンサ２８は、動作安定化（具体的には発振防止）のためのコンデンサであり、発振を防止するのに十分な容量Ｃｆを有している。
【００４３】
また、電源回路５は、第１抵抗２５と直列に接続される第２抵抗２６を備える。第２抵抗２６の一端は、第１抵抗２５およびフィードフォワードコンデンサ２８と端子ＦＢとの接続点を介して、第１抵抗２５に接続される。また、第２抵抗２６の他端は、端子ＧＮＤおよびコンデンサ２１と電圧ＶＳＳの入力端との接続点を介して、電圧ＶＳＳの入力端に接続される。
【００４４】
また、電源回路５は、出力電圧安定化のためのコンデンサ２７を備える。コンデンサ２７の一方の電極は、フィードフォワードコンデンサ２８の電極（端子ＦＢに接続されていない方の電極）に接続される。また、コンデンサ２７のもう一方の電極は、第２抵抗２６の端部（端子ＦＢに接続されていない方の端部）に接続される。コンデンサ２７は、出力電圧を十分に安定化可能な容量Ｃ２を有している。
【００４５】
制御回路２３は、端子ＦＢにおける電圧をセンス（検出）し、端子ＦＢにおける電圧が内部の基準電圧を下回れば、端子ＳＷが動作し、Ｖｃｃを上昇させる。その結果、端子ＦＢにおける電圧が上昇し、端子ＳＷの動作を停止させる。この繰り返しにより、Ｖｃｃを一定範囲内に保つ。また、出力電圧Ｖｃｃは、第１抵抗２５および第２抵抗２６の抵抗値と、上述の基準電圧とによって決まる。具体的には、第１抵抗２５の抵抗値をＲ１、第２抵抗２６の抵抗値をＲ２（いずれも単位はｋΩとする。）、上述の基準電圧をＦＢＢ（単位はＶとする。）とすると、出力電圧Ｖｃｃは、Ｖｃｃ＝｛（Ｒ１＋Ｒ２）／Ｒ２｝・ＦＢＢとして決定される。よって、第１抵抗２５の抵抗値が小さな抵抗値に切り替えられた場合、出力電圧Ｖｃｃは低下し、第１抵抗２５の抵抗値が大きな抵抗値に切り替えられた場合、出力電圧Ｖｃｃは上昇する。
【００４６】
図４は、第１抵抗２５の構成例を示す説明図である。第１抵抗は、図４に示すように抵抗値の異なる二種類の抵抗２５１および抵抗２５２を備える。ここでは、抵抗２５１の抵抗値が、抵抗２５２の抵抗値よりも大きいものとする。さらに、第１抵抗２５は、アナログスイッチ２５３を備える。例えば、アナログスイッチ２５３は第２抵抗２６に接続され、二種類の抵抗２５１，２５２それぞれの一端は出力電圧の出力端に接続される。そして、アナログスイッチ２５３は、外部（例えば、外部ＭＰＵ６あるいはコントローラ１）から入力されるＳＷ制御信号に応じて、抵抗２５１，２５２のいずれか一方を第２抵抗２６に接続させる。この結果、外部から入力されるＳＷ制御信号に応じて、第１抵抗２５の抵抗値が変化する。
【００４７】
パーシャル駆動時に、コントローラ１（外部ＭＰＵ６でもよい。）は、抵抗値の小さい方の抵抗２５２と第２抵抗２６との接続を指示するＳＷ制御信号をアナログスイッチ２５３に入力する。アナログスイッチ２５３は、外部から、このＳＷ制御信号が入力された場合には、抵抗値の小さい方の抵抗２５２と第２抵抗２６とを接続し、第１抵抗２５の抵抗値を小さく設定する。すると、出力電圧の電圧値は低下する。すなわち、電源回路５は、出力電圧Ｖｃｃ（＝ＶＣＨ）を低下させる。
【００４８】
また、通常駆動時に、コントローラ１（外部ＭＰＵ６でもよい。）は、抵抗値の大きい方の抵抗２５１と第２抵抗２６との接続を指示するＳＷ制御信号をアナログスイッチ２５３に入力する。アナログスイッチ２５３は、外部から、このＳＷ制御信号が入力された場合には、抵抗値の大きい方の抵抗２５１と第２抵抗２６とを接続し、第１抵抗２５の抵抗値を大きく設定する。すると、出力電圧の電圧値は上昇する。すなわち、電源回路５は、出力電圧Ｖｃｃ（＝ＶＣＨ）を上昇させる。
【００４９】
このように、電源回路５は、通常駆動時に出力電圧Ｖｃｃ（＝ＶＣＨ）を上昇させ、パーシャル駆動時に出力電圧Ｖｃｃ（＝ＶＣＨ）を低下させる。
【００５０】
ただし、通常駆動時に出力される電圧Ｖｃｃは、少なくとも通常駆動時に定電流回路に通常時定電流を出力させることが可能な電圧として定められ、パーシャル駆動時に出力される電圧Ｖｃｃも、少なくともパーシャル駆動時に定電流回路にパーシャル時定電流を出力させることが可能な電圧として定められる。
【００５１】
図５は、本実施の形態において通常駆動からパーシャル駆動に切り替えたときの電圧ＶｃｃおよびＯＬＥＤ駆動電圧の変化を示す説明図である。既に説明したように、定電流回路１２（図２参照。）が通常駆動時に流す通常時定電流の電流値よりも、定電流回路１２がパーシャル駆動時に流すパーシャル時定電流の電流値の方が小さい。従って、図５に示すように、パーシャル駆動に切り替えるとＯＬＥＤ駆動電圧は低下する。また、通常駆動からパーシャル駆動に切り替えたときには、第１抵抗２５（図３参照。）の抵抗値を減少させるので、電圧Ｖｃｃも低下する。
【００５２】
図６は、本実施の形態において、通常駆動からパーシャル駆動に切り替えたときの、コモン電極配線の電位およびセグメント電極配線の電位を表す駆動波形の変化の例を示す説明図である。本例では、通常駆動時に、全てのコモン電極配線（６４本とする。）を順次走査するものとする。そして、パーシャル駆動時の表示領域には８本のコモン電極配線が配置され、パーシャル駆動時には、その８本のコモン電極配線を順次走査するものとする。また、図６に示す例では、通常駆動で駆動を開始するものとする。従って、電源回路５がコモン電極ドライバ部２に出力する電圧ＶＣＨ、電源回路５がセグメント電極ドライバ部３に出力する電圧Ｖｃｃは、まだ低下していないものとする。また、発光させるべき画素が存在する列のセグメント電極配線に対応する定電流回路は、通常時定電流を流し、ＯＬＥＤ駆動電圧も、まだ低下していないものとする。
【００５３】
また、図６では、ＬＰがハイレベルとなっている間、コモン電極ドライバ部２が各コモン電極配線の電位をＶＳＳに設定し、セグメント電極ドライバ部３も各セグメント電極配線の電位をＶＳＳに設定する場合を例に示している。このような駆動をリセット駆動と呼ぶ。このように、選択期間と選択期間の間で各コモン電極配線および各セグメント電極配線を等電位とすることで、有機ＥＬ素子に逆バイアスに蓄積された電荷を放電することができ、発光開始時に充電すべき電荷量を少なくすることができる。
【００５４】
図６において、ＣＯＭ０、ＣＯＭｎは、それぞれ０番目、ｎ番目のコモン電極配線の電位を示している。ただし、ｎ番目のコモン電極配線は、パーシャル駆動時の表示領域に配置されたコモン電極配線であるものとする。また、ＳＥＧｎは、複数のセグメント電極配線のうちの任意の一つの電位を示している。
【００５５】
コントローラ１は、１フレームの開始を示すＦＬＭと、選択するコモン電極配線の切り替えを指示するＬＰとをコモン電極ドライバ部２に出力する。コモン電極ドライバ部２は、ＦＬＭがハイレベルになると、ＬＰに応じて第１行から各コモン電極配線を順次選択していく。また、コントローラ１は、ＬＰを出力するときには、セグメント電極ドライバ部２に対してもＬＰを出力する。
【００５６】
ＣＯＭ０は、０番目のコモン電極配線の電位を示している。最初のＬＰが出力された後、コモン電極ドライバ部２は、０番目のコモン電極配線の電位をＶＳＳに設定し、他のコモン電極配線の電位をＶＣＨに設定する。このとき、セグメント電極ドライバ部３は、発光させるべき画素が存在する列のセグメント電極配線に対応する定電流回路から通常時定電流を流す。具体的には、アナログスイッチ１１（図２参照。）が、発光させるべき画素が存在する列のセグメント電極配線と定電流回路１２（図２参照。）とを接続させ、定電流回路１２が有機ＥＬ素子１３を介して、選択されたコモン電極配線に通常時定電流を流す。この結果、そのセグメント電極の電位（ＯＬＥＤ駆動電圧）は選択行の電位ＶＳＳよりも高くなっている。なお、発光させるべき画素が存在しない列のセグメント電極配線に対応するアナログスイッチ１１（図１２参照。）は、電圧ＶＳＳを供給する配線にそのセグメント電極配線を接続させ、有機ＥＬ素子を発光させないようにする。
【００５７】
コントローラ１が次のＬＰを出力して、次のコモン選択配線が選択される場合の動作も同様である。
【００５８】
そして、外部ＭＰＵ６がコントローラ１に対して、パーシャル駆動への切り替えを指示する信号を出力したとする。このとき、コントローラ１（あるいは、外部ＭＰＵ６でもよい。）が、抵抗２５２と第２抵抗２６との接続を指示するＳＷ制御信号をアナログスイッチ２５３（図４参照。）に入力する。その結果、電源回路５は、出力電圧Ｖｃｃ（＝ＶＣＨ）を低下させる。また、コントローラ１は、ＬＰの出力間隔を長くする（すなわち、一本のコモン電極配線の選択期間を長くする）とともに、セグメント電極ドライバ部３に対して、定電流回路が出力する定電流を通常時定電流からパーシャル時定電流に切り替えるように制御する。
【００５９】
また、パーシャル駆動への切り替えが外部ＭＰＵ６から指示されると、コントローラ１は、パーシャル駆動時の表示領域に配置されたコモン電極配線を走査するようにコモン電極ドライバ部２を制御する。そして、コモン電極ドライバ部２は、ＬＰが入力される毎に、パーシャル駆動時の表示領域に配置されたコモン電極配線を切り替える。コモン電極ドライバ部２は、選択したコモン電極配線の電位をＶＳＳに設定し、他のコモン電極配線の電位をＶＣＨに設定する。ただし、ＶＣＨは、通常駆動時に比べ低下している。
【００６０】
このとき、セグメント電極ドライバ部３は、発光させるべき画素が存在する列のセグメント電極配線に対応する定電流回路からパーシャル時定電流を流す。具体的には、アナログスイッチ１１（図２参照。）が、発光させるべき画素が存在する列のセグメント電極配線と、定電流回路１２（図２参照。）とを接続させ、定電流回路１２が有機ＥＬ素子１３を介して、選択されたコモン電極配線にパーシャル時定電流を流す。この結果、そのセグメント電極配線の電位（ＯＬＥＤ駆動電圧）は選択行の電位ＶＳＳよりも高くなっている。ただし、パーシャル時定電流の電流値は、通常時定電流より低いので、ＯＬＥＤ駆動電圧も低下する。なお、セグメント電極ドライバ部３は、発光させるべき画素が存在しない列のセグメント電極配線については、電圧ＶＳＳを供給する配線（図２に示す端子Ｂ）と接続させ、その画素（有機ＥＬ素子）に電流が流れないようにする。
【００６１】
従って、通常駆動からパーシャル駆動に切り替えたとき、電源回路５が出力する電圧Ｖｃｃ（定電流回路を動作させるための電圧）と、ＯＬＥＤ駆動電圧とがともに低下する。すなわち、電圧ＶｃｃとＯＬＥＤ駆動電圧との差が広がらないように、電圧Ｖｃｃを低下させている。よって、パーシャル駆動時に画像を表示する領域のコモン電極配線を走査しているときの消費電力を低下させることができる。
【００６２】
なお、上記の例では、図３に示すように、電圧Ｖｃｃと電圧ＶＣＨの出力端が同一であり、Ｖｃｃ＝ＶＣＨとなる場合を示した。電源回路５において、電圧Ｖｃｃの出力端と、電圧ＶＣＨの出力端とが異なっていてもよい。また、電圧Ｖｃｃと電圧ＶＣＨとが等しくなくてもよい。
【００６３】
［実施の形態２］次に、本発明の第２の実施の形態について説明する。第２の実施の形態の駆動装置は、第１の実施の形態の駆動装置と同様のブロック図（図１参照。）で示されるので、図１を参照して説明する。
【００６４】
第２の実施の形態では、電源回路５の構成および動作は、第１の実施の形態と同様である。そして、電源回路５が外部（外部ＭＰＵ６またはコントローラ１）からＳＷ制御信号により、第１抵抗２５（図３，図４参照）の抵抗値を切り替えて出力電圧Ｖｃｃを変化させる点についても、第１の実施の形態と同様である。ただし、本実施の形態における電圧Ｖｃｃは、セグメント電極ドライバ部３が備える定電流回路を動作させるための電圧として、あるいは、セグメント電極に印加させるための電圧として、電源回路５がセグメント電極ドライバ部３に供給する電圧を表すものとする。具体的には、通常駆動時における電源回路５の出力電圧Ｖｃｃは、通常駆動時に定電流回路に通常時定電流を出力させることが可能な電圧である。また、パーシャル駆動時における電源回路５の出力電圧Ｖｃｃは、セグメント電極への印加電圧として用いられる。
【００６５】
また、コントローラ１に従うコモン電極ドライバ部２の動作も、第１の実施の形態と同様である。
【００６６】
第２の実施の形態では、セグメント電極ドライバ部３は、通常駆動時では、第１の実施の形態と同様に動作する。すなわち、通常駆動時において、セグメント電極ドライバ部３は、コントローラ１および選択行の表示データに従って、選択期間中、発光させるべき画素が存在する列のセグメント電極配線から選択行のコモン電極配線に定電流を流す。また、発光させるべき画素が存在しない列のセグメント電極配線については、電圧ＶＳＳを供給する配線に接続し、有機ＥＬ素子に定電流が流れないようにする。
【００６７】
ただし、パーシャル駆動時では、セグメント電極ドライバ部３は、以下のように動作する。セグメント電極ドライバ部３は、コントローラ１および選択行の表示データに従って、選択期間中、発光させるべき画素が存在する列のセグメント電極配線を、定電流回路を介さずに、電圧Ｖｃｃを供給する配線に接続する。すると、そのセグメント電極配線と選択行のコモン電極配線との間の有機ＥＬ素子にはＶｃｃ−ＶＳＳの定電圧が印加され、陽極側から陰極側に電流が流れる。なお、パーシャル駆動時において、電圧Ｖｃｃは通常駆動時よりも低下するので、パーシャル駆動時に有機ＥＬ素子を流れる電流は、通常駆動時に流れる定電流よりも少ない。また、発光させるべき画素が存在しない列のセグメント電極配線については、電圧ＶＳＳを供給する配線に接続し、有機ＥＬ素子に定電流が流れないようにする。この点については、通常駆動時と同様である。
【００６８】
図７は、第２の実施の形態におけるセグメント電極ドライバ部の構成例を示す説明図である。第１の実施の形態における構成部と同様の構成部については図２と同様の符号を付して説明する。本実施の形態では、セグメント電極ドライバ部３は、セグメント電極配線毎に、定電流回路１２と、アナログスイッチ１７とを備える。ただし、図７では、一本のセグメント電極配線に対応する一組の定電流回路１２およびアナログスイッチ１７のみを示している。
【００６９】
コントローラ１は、ＳＷ制御信号（スイッチ制御信号）を個々のアナログスイッチ１７に出力して、有機ＥＬ素子１３の陽極側を、定電流回路１２、電圧Ｖｃｃを供給する配線、あるいは電圧ＶＳＳを供給する配線のいずれかに接続させる。
【００７０】
以下、まず、通常駆動時の動作を具体的に説明する。通常駆動時、コントローラ１は、発光させるべき画素が存在する列のセグメント電極配線に対応するアナログスイッチ１７に関しては、そのセグメント電極配線と、定電流回路１２（図７に示す端子Ａ）とを接続させるようにアナログスイッチ１７を設定する。すると、有機ＥＬ素子の陽極側から陰極側に定電流が流れ、有機ＥＬ素子１３は発光する。また、コントローラ１は、発光させるべき画素が存在しない列のセグメント電極配線に対応するアナログスイッチ１７に関しては、そのセグメント電極配線と、電圧ＶＳＳを供給する配線（図７に示す端子Ｂ）とを接続させるようにアナログスイッチ１７を設定する。すると、有機ＥＬ素子の陽極側が、選択されたコモン電極配線の電位と等電位になり、有機ＥＬ素子１３は発光しない。
【００７１】
このように、通常駆動時では、駆動装置は有機ＥＬ素子に対して定電流駆動を行う。
【００７２】
次に、パーシャル駆動時の動作を具体的に説明する。パーシャル駆動時、コントローラ１は、発光させるべき画素が存在する列のセグメント電極配線に対応するアナログスイッチ１７に関しては、そのセグメント電極配線と、電圧Ｖｃｃを供給する配線（図７に示す端子Ｃ）とを接続させるようにアナログスイッチを設定する。すると、有機ＥＬ素子には定電圧（Ｖｃｃ−ＶＳＳ）が印加され、電流が流れ、有機ＥＬ素子は発光する。このとき、定電流回路から有機ＥＬ素子に定電流が流されているわけではないので、定電流駆動ではなく定電圧駆動となる。また、コントローラ１は、発光させるべき画素が存在しない列のセグメント電極配線に対応するアナログスイッチ１７に関しては、そのセグメント電極配線と、電圧ＶＳＳを供給する配線（図７に示す端子Ｂ）とを接続させるようにアナログスイッチ１７を設定する。この動作は、通常駆動時と同様である。このように、パーシャル駆動時においては、定電流回路１２は用いられない。
【００７３】
図８は、本実施の形態において通常駆動からパーシャル駆動に切り替えたときの電圧Ｖｃｃの変化を示す説明図である。通常駆動時における電源回路５の出力電圧ＶｃｃおよびＯＬＥＤ駆動電圧は、図５に示す場合と同様である。通常駆動からパーシャル駆動に切り替えられると、電源回路５の第１抵抗２５（図３参照。）は、外部からのＳＷ制御信号により抵抗値が小さくなるように切り替えられ、その結果、出力電圧Ｖｃｃは低下する。また、パーシャル駆動に切り替えられたときには、セグメント電極ドライバ部３が備えるアナログスイッチ（図７参照。）のうち、発光させるべき画素が存在する列のセグメント電極配線に対応するアナログスイッチは、そのセグメント電極配線と、電圧Ｖｃｃを供給する配線（図７に示す端子Ｃ）とを接続させる。従って、発光させるべき画素が存在する列のセグメント電極配線の電位はＶｃｃとなる。すなわち、電源回路の出力電圧Ｖｃｃの値と、セグメント電極配線の電位とは等しくなる。
【００７４】
図９は、本実施の形態において、通常起動からパーシャル駆動に切り替えたときの、コモン電極配線の電位およびセグメント電極配線の電位を表す駆動波形の変化の例を示す説明図である。本例では、図６で示した場合と同様に、通常駆動時には６４本のコモン電極配線を順次走査し、パーシャル駆動時には８本のコモン電極配線を順次走査するものとする。また、図６で示した場合と同様に、通常駆動で駆動を開始するものとする。従って、電源回路５がコモン電極ドライバ部２に出力する電圧ＶＣＨ、電源回路５がセグメント電極ドライバ部３に出力する電圧Ｖｃｃは、まだ低下していないものとする。また、発光させるべき画素が存在する列のセグメント電極配線に対応する定電流回路は、定電流を出力しているものとする。さらに、図６に示す場合と同様に、リセット駆動を行うものとする。
【００７５】
図９において、ＣＯＭ０、ＣＯＭｎは、それぞれ０番目、ｎ番目のコモン電極配線の電位を示している。ただし、ｎ番目のコモン電極配線は、パーシャル駆動時の表示領域に配置されたコモン電極配線であるものとする。また、ＳＥＧｎは、複数のセグメント電極配線のうちの任意の一つの電位を示している。
【００７６】
通常駆動時における駆動波形は、図６に示す場合と同様であるので、説明を省略する。
【００７７】
通常駆動を行っているときに、外部ＭＰＵ６がコントローラ１に対して、パーシャル駆動への切り替えを指示する信号を出力したとする。このとき、コントローラ１（あるいは、外部ＭＰＵ６でもよい。）が、抵抗２５２と第２抵抗２６との接続を指示するＳＷ制御信号をアナログスイッチ２５３（図４参照。）に入力する。その結果、電源回路５は、出力電圧Ｖｃｃ（＝ＶＣＨ）を低下させる。また、コントローラ１は、ＬＰの出力間隔を長くする（すなわち、一本のコモン電極配線の選択期間を長くする）。
【００７８】
また、パーシャル駆動への切り替えが外部ＭＰＵ６から指示されると、コントローラ１は、パーシャル駆動時の表示領域に配置されたコモン電極配線を走査するようにコモン電極ドライバ部２を制御する。そして、コモン電極ドライバ部２は、ＬＰが入力される毎に、パーシャル駆動時の表示領域に配置されたコモン電極配線を切り替える。コモン電極ドライバ部２は、選択したコモン電極配線の電位をＶＳＳに設定し、他のコモン電極配線の電位をＶＣＨに設定する。ただし、ＶＣＨは、通常駆動時に比べ低下している。
【００７９】
このとき、セグメント電極ドライバ部３は、発光させるべき画素が存在する列のセグメント電極の電位をＶｃｃに設定する。具体的には、アナログスイッチ１７（図７参照。）が、発光させるべき画素が存在する列のセグメント電極配線と、電圧Ｖｃｃを供給する配線（図７に示す端子Ｃ）とを接続させる。すると、そのセグメント電極配線と、選択されたコモン電極配線との間の有機ＥＬ素子１３（図７参照。）に定電圧が印加され、その有機ＥＬ素子１３に電流が流される。なお、セグメント電極ドライバ部３は、発光させるべき画素が存在しない列のセグメント電極配線については、電圧ＶＳＳを供給する配線（図７に示す端子Ｂ）と接続させ、その画素（有機ＥＬ素子）に電流が流れないようにする。
【００８０】
従って、本実施の形態では、パーシャル駆動時に、電源回路の出力電圧Ｖｃｃを低下させ、発光させるべき画素が存在する列のセグメント電極配線に、電圧Ｖｃｃを供給する配線を接続させる。従って、パーシャル駆動時に電圧ＶｃｃとＯＬＥＤ駆動電圧との差が広がるという従来生じていた現象（図１２参照。）は生じない。その結果、パーシャル駆動時に画像を表示する領域のコモン電極配線を走査しているときの消費電力を低下させることができる。
【００８１】
また、本実施の形態におけるパーシャル駆動では、発光させる有機ＥＬ素子に対して定電流回路から定電流を流すのではなく、発光させる有機ＥＬ素子に定電圧を印加する。このように、有機ＥＬ素子に定電圧を印加して電流を流すときには、図１３を用いて説明したように輝度傾斜が発生する。しかし、輝度傾斜は、走査するコモン電極配線数が少ない場合（例えば、走査するコモン電極配線数が１６本以下の場合）では目立たないので問題は生じない。よって、パーシャル駆動時に走査するコモン電極配線の数は１６本以下とすることが好ましい。また、本実施の形態における通常駆動では、発光させる有機ＥＬ素子に対して定電流回路から定電流を流すので、輝度傾斜の問題は生じない。
【００８２】
また、本実施の形態においても、第１の実施の形態で説明したように、電圧Ｖｃｃの出力端と、電圧ＶＣＨの出力端とが異なっていてもよい。また、電圧Ｖｃｃと電圧ＶＣＨとが等しくなくてもよい。
【実施例１】
【００８３】
１２８本のセグメント電極配線と、６４本のコモン電極配線とを有し、ドットサイズが０．３ｍｍ×０．３ｍｍである有機ＥＬパネルを、第１の実施の形態の駆動装置で駆動した。点灯時の有機ＥＬ素子の輝度は、１００ｃｄ／ｍ２とした。また、通常駆動時に電源回路５からセグメント電極ドライバ部３に出力する電圧Ｖｃｃを１６Ｖに設定した。そして、通常駆動（デューティ比は１／６４）でコモン電極配線を順次選択し、１２８×６４個の画素全てをオン（点灯）とした。このとき、電源電流は１８ｍＡであった。また、ＯＬＥＤ駆動電圧は１３Ｖであった。
【００８４】
また、パーシャル駆動時に走査するコモン電極配線の本数は８本とし、デューティ比１／８でパーシャル駆動を行った。点灯時の有機ＥＬ素子の輝度は、１００ｃｄ／ｍ２とした。また、パーシャル駆動時に電源回路５からセグメント電極ドライバ部３に出力する電圧Ｖｃｃを１１Ｖに設定した。走査の対象となる８本のコモン電極配線が配置された領域（パーシャル駆動時の表示領域）全体をオンとしたときの電源電流は２．３ｍＡであった。また、ＯＬＥＤ駆動電圧は８．５Ｖであった。
【００８５】
本実施例でのパーシャル駆動時の消費電力は、１１Ｖ×２．３ｍＡ＝２５．３ｍＷとなる。
【実施例２】
【００８６】
実施例１と同一の有機ＥＬパネルに対して第２の実施の形態の駆動装置で駆動を行った。通常駆動は、実施例１と同様に行った。また、デューティ比１／８でパーシャル駆動を行った。点灯時の有機ＥＬ素子の輝度は、１００ｃｄ／ｍ２とした。また、パーシャル駆動時に電源回路５からセグメント電極ドライバ部３に出力する電圧Ｖｃｃを８．５Ｖに設定し、発光させるべき有機ＥＬ素子には定電流回路を用いず、定電圧を印加するようにして駆動した。走査の対象となる８本のコモン電極配線が配置された領域（パーシャル駆動時の表示領域）全体をオンとしたときの電源電流は２．２ｍＡであった。
【００８７】
本実施例でのパーシャル駆動時の消費電力は、８．５Ｖ×２．２ｍＡ＝１８．７ｍＷとなる。
【００８８】
［比較例］従来の駆動方法（図１１に例示する駆動波形となるような駆動方法）で、実施例１と同一の有機ＥＬパネルを駆動した。通常駆動は、実施例１と同様に行った。また、パーシャル駆動に切り替えたときでも電源回路５が出力する電圧Ｖｃｃを１６Ｖのまま変化させなかった。そして、パーシャル駆動時には、デューティ比１／８とし、点灯時の有機ＥＬ素子の輝度が１００ｃｄ／ｍ２となるようにしてパーシャル駆動を行った。このとき、発光させる有機ＥＬ素子には定電流回路から定電流を流すようにした。走査の対象となる８本のコモン電極配線が配置された領域（パーシャル駆動時の表示領域）全体をオンとしたときの電源電流は２．３ｍＡであった。
【００８９】
この場合、パーシャル駆動時の消費電力は、１６Ｖ×２．３ｍＡ＝３６．８ｍＷとなる。
【００９０】
第１の実施の形態の駆動装置を用いた実施例１における消費電力は、２５．３ｍＷであり、上記の比較例で示した消費電力（３５．８ｍＷ）に比べ、消費電力が約３１％低減されている。
【００９１】
また、第２の実施の形態の駆動装置を用いた実施例２における消費電力は、１８．７ｍＷであり、上記の比較例で示した消費電力（３５．８ｍＷ）に比べ、消費電力が約４９．２％低減されている。
【産業上の利用可能性】
【００９２】
本発明は、有機ＥＬディスプレイ装置の駆動に適用可能であり、特にパーシャル駆動を採用する有機ＥＬディスプレイ装置の駆動に適用可能である。
【図面の簡単な説明】
【００９３】
【図１】本発明の第１の実施の形態の有機ＥＬ表示装置の駆動装置の例を示すブロック図。
【図２】第１の実施の形態におけるセグメント電極ドライバ部の構成例を示す説明図。
【図３】電源回路５における電圧Ｖｃｃの出力に関わる構成部の例を示す説明図。
【図４】第１抵抗の構成例を示す説明図。
【図５】第１の実施の形態において通常駆動からパーシャル駆動に切り替えたときの電圧ＶｃｃおよびＯＬＥＤ駆動電圧の変化を示す説明図。
【図６】コモン電極配線の電位およびセグメント電極配線の電位を表す駆動波形の変化の例を示す説明図。
【図７】第２の実施の形態におけるセグメント電極ドライバ部の構成例を示す説明図。
【図８】第２の実施の形態において通常駆動からパーシャル駆動に切り替えたときの電圧Ｖｃｃの変化を示す説明図。
【図９】コモン電極配線の電位およびセグメント電極配線の電位を表す駆動波形の変化の例を示す説明図。
【図１０】通常駆動時およびパーシャル駆動時の表示例を示す説明図。
【図１１】コモン電極配線の電位およびセグメント電極配線の電位を表す駆動波形の変化の例を示す説明図。
【図１２】ＯＬＥＤ駆動電圧の低下を示した説明図。
【図１３】輝度傾斜の原因を示す説明図。
【符号の説明】
【００９４】
１  コントローラ
２  コモン電極ドライバ部
３  セグメント電極ドライバ部
４  有機ＥＬパネル
５  電源回路
６  外部ＭＰＵ
２５  第１抵抗
２５１，２５２  抵抗
２５３  アナログスイッチ
【図１】
2007094319.tif 000003
【図２】
2007094319.tif 000004
【図３】
2007094319.tif 000005
【図４】
2007094319.tif 000006
【図５】
2007094319.tif 000007
【図６】
2007094319.tif 000008
【図７】
2007094319.tif 000009
【図８】
2007094319.tif 000010
【図９】
2007094319.tif 000011
【図１０】
2007094319.tif 000012
【図１１】
2007094319.tif 000013
【図１２】
2007094319.tif 000014
【図１３】
2007094319.tif 000015